(57)【要約】【課題】  非接触ＩＣに対して書き込み時にエラーが発生した場合は、媒体や非接触ＩＣの状態に係わらず同一に「データ書き込みエラー」として扱い報知している為、例え非接触ＩＣが正常であっても、不良品と判断し、エラーが発生した媒体を破棄していた。  【解決手段】  「ＲＦ−ＩＤデータ書き込みエラー」が発生した場合にそのユニークＩＤの読み出しをして、読み出し出来た個数によって例えば零個なら未検知、１個ならＲＦＩＤ不良、そして２個以上の場合には媒体の重送と報知するようにした。【選択図】    図７
2006139582.tif 000002
【特許請求の範囲】
【請求項１】
媒体に内蔵されるメモリを含む通信素子と非接触で通信を行う通信制御手段を有する記録装置であって、通信アンテナの通信範囲に存在する前記通信素子の個数を検出する通信素子個数検出手段と、前記メモリに情報を書き込む情報書き込み手段と、書き込みが正常に行われたかをチェックする書き込みチェック手段とを具え、
正常に書き込みが行われなかった場合に前記通信素子個数検出手段により検出した通信素子の個数に関連したエラーを報知するエラー報知手段をさらに有することを特徴とする記録装置。
【請求項２】
前記通信素子個数検出手段が、前記通信アンテナの通信範囲に存在する通信素子固有の識別情報を読み込むことを特徴とする請求項１に記載の記録装置。
【請求項３】
前記エラー報知手段で読み込んだ識別情報の個数に関連したエラー内容を報知することを特徴とする請求項２に記載の記録装置。
【請求項４】
前記エラー報知手段で読み込んだ識別情報が０個であった場合に、媒体に通信素子が内蔵されていない旨を報知することを特徴とする請求項２又は３に記載の記録装置。
【請求項５】
前記エラー報知手段で読み込んだ識別情報が1個であった場合に、前記通信素子が不良である旨の報知することを特徴とする請求項２〜４に記載の記録装置。
【請求項６】
前記エラー報知手段で読み込んだ識別情報が２個以上であった場合に、複数の用紙が重送されている旨の報知することを特徴とする請求項２〜５に記載の記録装置
【請求項７】
前記報知手段が、表示部にメッセージを表示させることを特徴とする請求項１〜６に記載の記録装置。
【請求項８】
前記報知手段が、ブザーを共鳴させることを特徴とする請求項１〜７に記載の記録装置。
【請求項９】
前記報知手段が、ＬＥＤを点滅させることを特徴とする請求項１〜７に記載の通信制御装置。
【請求項１０】
前記報知手段が、音声によりメッセージを発することを使用することを特徴とする請求項１〜７に記載の記録装置。
【請求項１１】
前記媒体とは、カット紙、プラスチックカード、複数のラベルが仮付けされた長尺紙を含むことを特徴とする請求項１〜１０に記載の記録装置。
【請求項１２】
媒体に内蔵されるメモリを含む通信素子と非接触で通信を行う通信制御方法であって、
通信アンテナの通信範囲に存在する前記通信素子の個数を検出する通信素子個数検出工程と、前記メモリに情報を書き込む情報書き込み工程と、書き込みが正常に行われたかをチェックする書き込みチェック工程とを具え、
正常に書き込みが行われなかった場合に前記通信素子個数検出工程により検出した通信素子の個数に関連したエラーを報知するエラー報知工程をさらに有することを特徴とする通信制御方法。
【請求項１３】
媒体に内蔵されるメモリを含む通信素子と非接触で通信を行う通信制御手段を有する記録装置であって、通信アンテナの通信範囲に存在する前記通信素子の個数を検出する通信素子個数検出手段を具え、
前記通信素子個数検出手段により検出した結果が複数であった場合、
媒体の重送である旨の警報を送出することを特徴とする記録装置。
【請求項１４】
前記通信素子個数検出手段は前記通信素子固有のＩＤを読み出すことを特徴とする請求項１〜１３に記載の記録装置、又は通信制御方法。
【発明の詳細な説明】
【技術分野】
【０００１】
本発明はRF−ID素子内蔵記録媒体への記録、及びRF−ID素子への書き込みを並行して行なう記録装置及び通信制御方法に関する。
【背景技術】
【０００２】
従来、非接触で情報の書き込み／読み出しが可能である集積回路チップと通信アンテナを備えたＲＦ−ＩＤ（Radio Frequency IDentification）素子が開発されている。通常、ＲＦ−ＩＤ素子は、ラベル紙、タグ紙、カット紙、プラスチックカード等の媒体に内蔵されている。
【０００３】
媒体に内蔵しているＲＦ−ＩＤ素子に対して情報の書き込み／読み出しを行う場合は、ＲＦ−ＩＤ素子と通信を行う「ＲＦ−ＩＤ通信ドライバ」を内蔵しているＲＦ−ＩＤ通信制御装置を使用し、ＲＦ−ＩＤ通信ドライバを駆動すると共に媒体に内蔵しているＲＦ−ＩＤ素子と通信を行うことで、ＲＦ−ＩＤ素子に対して情報の書き込み／読み出しを行っている。
【０００４】
近年は、記録装置内にＲＦ−ＩＤ通信ドライバを内蔵し、記録装置内でＲＦ−ＩＤ素子内蔵の記録媒体の表面に記録を行うと同時にＲＦ−ＩＤ素子にも情報を書き込むという記録装置が開発されている。
【０００５】
非接触ＩＣのリーダ／ライタを内蔵したカード記録装置において、給送する記録媒体に内蔵している非接触ＩＣに対して情報の書き込みを行い、更には記録媒体の表面に記録を行うことが可能なカード記録装置を開示しているものの、非接触ＩＣに対して「データ書き込みエラー」が発生した場合は、記録媒体や非接触ＩＣの状態にかかわらず同一のエラーとして処理している。
（例えば特許文献１）
さらに、上記と類似するラベル記録装置において、ラベルに内蔵している非接触ＩＣに対して情報の書き込みを行い、更にはラベル表面に記録を行うことが可能であるが、非接触ＩＣに対して「データ書き込みエラー」が発生した場合は、ラベルや非接触ＩＣの状態にかかわらず同一のエラーとして処理している。
（例えば特許文献２）
【０００６】
【特許文献１】特開２００３−１５０９０７
【特許文献２】特開２００３−３０３３２０
【発明の開示】
【発明が解決しようとする課題】
【０００７】
しかしながら、上記従来技術においては次のような問題があった。
【０００８】
即ち、非接触ＩＣに対して書き込み時にエラーが発生した場合は、媒体や非接触ＩＣの状態に係わらず同一に「データ書き込みエラー」として扱いユーザに報知している為、不良ではない非接触ＩＣであっても、ユーザは非接触ＩＣが不良であると判断しエラーが発生した媒体を破棄していた。しかしながら、書き込みエラーは非接触ＩＣの不良だけで発生するのではない。例えば、媒体が重なって給送（重送）された場合、リーダ／ライタの通信アンテナの通信範囲に複数の非接触ＩＣが存在する場合にも通信エラーとなる。
【０００９】
図８（ａ）はＲＦ−ＩＤ通信アンテナ（０１０２）の通信範囲（通信可能領域）に記録媒体（０８０２）が正常に搬送された状態であり、ＲＦ−ＩＤアンテナ（０１０２）の通信範囲（０８０１）にＲＦ−ＩＤ素子（０８０３）が１個だけ存在している。この場合は、正常なシーケンスで情報の書き込みが可能である。
【００１０】
図８（ｂ）は記録媒体（０８０４／０８０６）が重送されてきた状態であり、ＲＦ−ＩＤアンテナ（０１０２）の通信範囲（０８０１）にＲＦ−ＩＤ素子（０８０５／０８０７）が２個存在している。この場合は、正常なシーケンスを維持できず、ＲＦ−ＩＤデータ書き込みエラーとなる。
【００１１】
本発明は、上述した点に鑑みなされたものであり、「データ書き込みエラー」が発生した場合にそのエラー内容の詳細を検出し、ユーザに報知することが可能な記録装置を提供することを目的とする。
【課題を解決するための手段】
【００１２】
上記目的を達成するため、本発明の記録装置は、
媒体に内蔵されるメモリを含む通信素子と非接触で通信を行う通信制御手段を有する記録装置であって、通信アンテナの通信範囲に存在する前記通信素子の個数を検出する通信素子個数検出手段と、前記メモリに情報を書き込む情報書き込み手段と、書き込みが正常に行われたかをチェックする書き込みチェック手段とを具え、
正常に書き込みが行われなかった場合に前記通信素子個数検出手段により検出した通信素子の個数に関連したエラーを報知するエラー報知手段をさらに有することを特徴とする。
【００１３】
又本発明による通信制御方法は、
媒体に内蔵されるメモリを含む通信素子と非接触で通信を行う通信制御方法であって、通信アンテナの通信範囲に存在する前記通信素子の個数を検出する通信素子個数検出工程と、前記メモリに情報を書き込む情報書き込み工程と、書き込みが正常に行われたかをチェックする書き込みチェック工程とを具え、
正常に書き込みが行われなかった場合に前記通信素子個数検出工程により検出した通信素子の個数に関連したエラーを報知するエラー報知工程をさらに有することを特徴とする。
【００１４】
さらに、本発明の記録装置は、
媒体に内蔵されるメモリを含む通信素子と非接触で通信を行う通信制御手段を有する記録装置であって、通信アンテナの通信範囲に存在する前記通信素子の個数を検出する通信素子個数検出手段を具え、
前記通信素子個数検出手段により検出した結果が複数であった場合、
媒体の重送である旨の警報を送出することを特徴とする。
【発明の効果】
【００１５】
以上説明したように、本発明は、「ＲＦ−ＩＤデータ書き込みエラー」が発生した場合にそのエラー内容の詳細を検出し、ユーザに正しいエラー内容を報知することができる。
【発明を実施するための最良の形態】
【００１６】
以下に、本発明の実施形態を、実施例に基づき詳細に説明する。
（第１の実施例）
図２は本発明で使用するＲＦ−ＩＤ素子内蔵の記録媒体の模式図である。記録媒体（０１０６）はシート状のカットされたカードからなり、記録媒体にはＲＦ−ＩＤ素子（０１０７）が内蔵されている。ＲＦ−ＩＤ素子（０２０７）はアンテナ部とＲＦ−ＩＤＩＣチップからなり、記録装置本体側のＲＦ−ＩＤ通信アンテナとの通信により情報の読み込み、書き込み、記憶を行う。また、各ＲＦ−ＩＤ素子（０２０７）はユニークＩＤといった個別のＩＤを持っており、ＲＦ−ＩＤ通信アンテナを介してユニークＩＤは読み込み可能である。
【００１７】
図１は本発明の記録装置（０１００）の断面図である。
【００１８】
記録装置（０１００）には記録媒体（０１０８）に内蔵されたＲＦ−ＩＤ素子（０１０７）と通信して情報の読み取り／書き込みを行う為の固定された通信アンテナ（０１０６）が装着されている。
【００１９】
給送部（０１０１）の給送トレー（０１０３）に積載されている記録媒体を給送後、搬送ベルト（０１１０）により搬送し、ＴＯＦセンサ（０１０９）で記録媒体の先端を検知すると、搬送ベルト（０１１０）を停止する。その状態で通信アンテナ（０１０６）を介して、記録媒体（０１０８）に内蔵されているＲＦ−ＩＤ素子（０１０７）に対して情報を書き込む制御を行った後、再度搬送ベルトを駆動し、ブラック、シアン、マゼンタ、イエローの各記録ヘッド（０１０４Ｋ〜０１０４Ｙ）により、各色毎の記録データを記録媒体（０１０８）表面にカラ−記録し、排紙トレー（０１０２）に積載する。
【００２０】
図３は、本発明の記録装置にホストコンピュータを接続した構成図を示す。
【００２１】
記録装置（０１００）と、ホストコンピュータ（０３０１）が設置されており、プリンタケーブル（０３０２）で接続されている。ホストコンピュータ（０３０１）は、プリンタケーブル（０３０２）を介して制御コマンドを記録装置（０１００）に送信する。
【００２２】
図１０は本実施例で使用するホストコンピュータから送信される制御コマンドの構造を示す。制御コマンドとしては、記録する記録媒体のサイズを設定する用紙設定コマンド（１００１）、記録データの基準となる設定が存在するフォーマットコマンド（１００２）、文字、イメージ、ＲＦＩＤの詳細情報を設定するデータコマンドの属性部（１００３、１００４、１００５）とデータ部、（１００６）記録データの終了を示し記録を開始する記録開始コマンド（１００７）が存在し、それらのコマンドを記録コマンド転送例（１００８）の様に出力する。
【００２３】
図９は本実施例で使用する記録装置の操作部を示す。記録装置の状態を文字表示するＬＣＤ（０４１２）、記録装置のエラー状態を報知するエラー（０４１４）、エラーが発生した場合に、エラー状態を解除するエラークリアキー（０４１３）から成る。
【００２４】
図４はこの本実施例における記録装置（０１００）の電気回路ブロック図を示す。記録装置（０１００）内のＣＰＵ（０４０１）はホストコンピュ−タ（０３０１）からホストインタフェース（０４０７）を介して記録デ−タ及びＲＦ−ＩＤ書き込み情報等の制御コマンドを受信し、イメージデータはイメ−ジＲＡＭ（０４０４）に直接ビットマップ展開することで記憶させ、キャラクタデータはＣＧ−ＲＯＭ（４０３）より指定されたフォントデータを読み出し、コマンド内で指定された処理を行いイメ−ジＲＡＭ（０４０４）にビットマップ展開することで記憶させ、ＲＦ−ＩＤ書き込み情報はワークRAM（０４０５）に記憶させる。記録開始コマンド（１００７）を受信するとＣＰＵ（０４０１）は入出力ポ−ト（０４１０）を介してＴＯＦセンサ（０１０９）、給送センサ（１１２）、紙面センサ（０１１５）からの入力信号を監視しながら、入出力ポ−ト（０４１０）を介して各種モータドライバ（０４１１）を制御することで搬送モータ（０１１１）、給送モータ（０１１３）、トレーモータ（０１１６）を駆動し、記録動作をスタ−トさせる。ＣＰＵ（０４０１）は記録媒体をＴＯＦセンサ（０１０９）まで給送後、ワークRAM（０４０５）に記憶したＲＦ−ＩＤ書き込み情報を読み出し、ＲＦ−ＩＤリーダ／ライタ（０４０９）を介しＲＦ−ＩＤ通信アンテナ（０１０６）にＲＦ−ＩＤ書き込み情報を送信し、ＲＦ−ＩＤ素子（０１０７）に情報を書き込む制御を行う。次に、ＣＰＵ（０４０１）はイメ−ジＲＡＭ（０４０４）の読み出しを開始しヘッド駆動回路（０４０８）を介し各記録ヘッド（０１０４）に順次記録デ−タを転送し、記録媒体にカラ−記録する。これら一連の動作はプログラムＲＯＭ（０４０２）に記憶されたプログラムに基づきＣＰＵ（０４０１）が実行する。又、ＣＰＵ（０４０１）は実行の際に必要とする作業用メモリとしてもワ−クＲＡＭ（０４０５）を利用する。その他に操作部に装着されているキー（０４１４）からの入力信号監視、ＬＥＤ（０４１５）のＯＮ／ＯＦＦ制御、ＬＣＤドライバ（０４１２）を制御してＬＣＤ（０４１３）の駆動を行う。
【００２５】
図５は本実施例における記録媒体の記録処理を示すフローチャートである。記録データ展開処理（Ｓ５０１）でホストコンピュータより受信したキャラクタ（１００３）及びイメージコマンド（１００４）をイメージＲＡＭ（０４０４）に展開し、ＲＦ−ＩＤコマンド（１００５）の書き込み情報はワークＲＡＭ（０４０５）に保存する。記録開始コマンド（１００７）を受信すると、搬送モータの駆動を開始（Ｓ５０２）、並行して給紙処理（Ｓ５０３）も開始する。
【００２６】
ＴＯＦセンサで給紙、搬送されてきた用紙先端を検知する（Ｓ５０４が「ＹＥＳ」）と、ホストコンピュータから受信したコマンドにＲＦ−ＩＤコマンドが含まれていたかチェックする（Ｓ５０５）。
【００２７】
ＲＦ−ＩＤコマンドが含まれていた場合（Ｓ５０５が「ＹＥＳ」）は、搬送モータを停止（Ｓ５１０）させ、書き込み情報をワークＲＡＭ（０４０５）より読み出し、ＲＦ−ＩＤ素子（０１０７）に書き込み（Ｓ５１１）を行う。次にＲＦ−ＩＤ素子への書き込みが正常終了したかをチェック（Ｓ５１２）し、エラー終了の場合（Ｓ５１２が「ＹＥＳ」）の場合は、エラー処理（Ｓ５１４）を実行し、記録処理は終了する。ＲＦ−ＩＤ素子への書き込みが正常終了の場合（Ｓ５１２が「ＮＯ」）は、搬送モータの駆動を開始（Ｓ５１３）し、印字処理（Ｓ５０６）で記録媒体の表面に記録を行い、排紙処理（Ｓ５０７）で排紙トレーまで記録媒体を排出し、搬送モータを停止（Ｓ５０８）し、次の記録データを受信しているかをチェック（Ｓ５０９）し、次のデータを受信してない場合（Ｓ５１３が「ＮＯ」）、記録処理は終了する。また、ＲＦ−ＩＤコマンドが含まれていない場合（Ｓ５０５が「ＮＯ」）は、ＲＦ−ＩＤ書き込み処理を行わず、継続して印字処理（Ｓ５０６）を行う。
【００２８】
図６は本実施例における記録媒体の給紙処理を示すフローチャートである。給紙トレーの上昇を開始（Ｓ６０１）し、紙面センサ（０１１５）で記録媒体の紙面を検知すると（Ｓ６０２「ＹＥＳ」）、給紙トレー（０１０３）を停止させる。次に、給送モータ（０１１３）の駆動を開始し、給送センサ（０１１２）で記録媒体の先端を検知すると（Ｓ６０５が「ＹＥＳ」）、給送モータ（０１１３）の駆動を停止して（Ｓ６０６）、１枚の用紙の給送が完了する。
【００２９】
図７は本実施例におけるＲＦ−ＩＤ書き込みエラー処理を示すフローチャートである。通信アンテナを介して、通信アンテナの通信範囲にあるＲＦ−ＩＤ素子のユニークＩＤを読み込む（Ｓ７０１）。
【００３０】
ユニークＩＤを読み取れなかった場合（Ｓ７０２が「ＹＥＳ」）は、記録媒体のＲＦ−ＩＤ素子を検知することが出来なかったので、操作部のＬＣＤに「ＲＦ−ＩＤ未検知エラー」を表示させ（Ｓ７０３）、１個のユニークＩＤのみが読み取れた場合（Ｓ７０４が「ＹＥＳ」）は、記録媒体に内蔵しているＲＦ−ＩＤ素子のメモリが不良である可能性があるので、操作部のＬＣＤに「ＲＦ−ＩＤ不良エラー」を表示させ（Ｓ７０５）、複数のユニークＩＤが読み取れた場合（Ｓ７０４が「ＹＥＳ」）、通信アンテナの通信範囲に複数の記録媒体が存在するので操作部のＬＣＤに「ＲＦ−ＩＤ重送エラー」を表示させる（Ｓ７０６）。そしてエラーＬＥＤを点灯させ（Ｓ７０７）、その後エラークリアキーが押下されたら（Ｓ７０８が「ＹＥＳ」）エラーＬＥＤは消灯し（Ｓ７０９）、ＬＣＤにエラーが解除されたことを示す「レディー」を表示する。
【００３１】
このように、第一の実施例では、図７のフローチャートに示したように、ＲＦ−ＩＤ通信エラーが発生した後にユニークＩＤを読み込み、通信アンテナの通信範囲にあるＲＦ−ＩＤ素子の個数を検出し、その検出した個数によりＬＣＤに表示させるエラーメッセージの内容を選択することにより、「ＲＦ−ＩＤ素子の不良で発生したエラー」なのか「記録媒体が重送して発生したエラー」なのかをユーザが容易に識別できる。
（第２の実施例）
本実施例は、第一の実施例において、ＲＦ−ＩＤ書き込みエラーが発生した場合に、通信アンテナで読み取ったユニークＩＤの個数を表示することにより実施できる。
【００３２】
図１１は本実施例におけるＲＦ−ＩＤ書き込みエラー処理を示すフローチャートである。
【００３３】
通信アンテナを介して、通信アンテナの通信範囲にあるＲＦ−ＩＤ素子のユニークＩＤを読み込み（Ｓ１１０１）、操作部のＬＣＤに「ＲＦ−ＩＤ不良エラー：ＩＤ＝ＸＸ個」（「ＸＸ」は読み取ったユニークＩＤの個数）を表示（１１０２）させる。そしてエラーＬＥＤを点灯（１１０３）させ、その後エラークリアキーが押下されたら（Ｓ１１０４が「ＹＥＳ」）、エラーＬＥＤは消灯させ（Ｓ１１０５）、ＬＣＤにエラーが解除されたことを示す「レディー」を表示（１１０６）する。
【００３４】
このように、第二の実施例では、図１１のフローチャートに示したように、ＲＦ−ＩＤ通信エラーが発生した後に、ユニークＩＤを読み込み、通信アンテナの通信範囲にあるＲＦ−ＩＤ素子の個数を検出し、その検出した個数を含むエラーメッセージを表示することにより「ＲＦ−ＩＤ素子の不良で発生したエラー」なのか「記録媒体が重送して発生したエラー」なのかをユーザが簡単に識別できる。
（第３の実施例）
本実施例は、第一の実施例において、ＲＦ−ＩＤ書き込みエラーが発生した場合に、通信アンテナで読み取ったユニークＩＤの個数の回数だけＬＥＤを点滅することで実施できる。
【００３５】
図１２は本実施例におけるＲＦ−ＩＤ書き込みエラー処理を示すフローチャートである。
【００３６】
通信アンテナを介して、通信アンテナの通信範囲にあるＲＦ−ＩＤ素子のユニークＩＤを読み込み（Ｓ１２０１）、操作部のＬＣＤに「ＲＦ−ＩＤ不良エラー」を表示（Ｓ１２０２）させる。そしてエラーＬＥＤを５００ミリ秒間隔で読み取ったユニークＩＤの個数の回数だけ点滅（Ｓ１２０３）させ、２秒間待ち（Ｓ１２０４）、その後エラークリアキーが押下されたら（Ｓ１２０５が「ＹＥＳ」）は、ＬＣＤにエラーが解除されたことを示す「レディー」を表示する。エラークリアキーが押下されない場合（Ｓ１２０５が「ＮＯ」）は、再度ＬＥＤを点滅させる。
【００３７】
このように、第三の実施例では、図１２のフローチャートに示したように、ＲＦ−ＩＤ通信エラーが発生した後、ユニークＩＤを読み込み、通信アンテナの通信範囲にあるＲＦ−ＩＤ素子の個数を検出し、その検出した個数の回数だけＬＥＤを点滅することにより、「ＲＦ−ＩＤ素子の不良で発生したエラー」なのか「記録媒体が重送して発生したエラー」なのかを容易に識別できる。
（その他の実施例）
本発明は、複数のラベルが仮付けされた等の長尺紙を記録することが可能なラベル記録装置、用紙搬送方向に対して垂直に記録ヘッドをスキャンさせるタイプの記録装置等の記録方法や、インクジェット記録装置、感熱記録装置、熱転写記録装置、電子写真等の他の記録方式に適用することが可能である。
さらに、第一の実施例では、ＲＦ−ＩＤ素子にデータを書き込む際に確実に通信を行う為に、記録媒体の搬送を一時的に停止させているが、記録媒体を停止させずにＲＦ−ＩＤ素子と通信し、データを書き込んでも良い。
【産業上の利用可能性】
【００３８】
本発明は記録装置内にＲＦ−ＩＤ通信ドライバを内蔵し、記録媒体の表面に記録を行うと同時に内蔵するＲＦ−ＩＤ素子に情報を書き込む記録装置に利用可能である。
【図面の簡単な説明】
【００３９】
【図１】第１〜３の実施例で使用する記録装置の断面図である。
【図２】第１〜３の実施例で使用するＲＦ−ＩＤ素子内蔵の記録媒体の模式図である。
【図３】第１〜３の実施例における記録装置にホストコンピュータを接続した構成図である。
【図４】第１〜３の実施例で使用する記録装置の電気的なブロック図である。
【図５】第１〜３の実施例における記録処理のフローチャートである。
【図６】第１〜３の実施例における給紙処理のフローチャートである。
【図７】第１の実施例におけるＲＦ−ＩＤ書き込みエラー処理のフローチャートである。
【図８】記録媒体が通信アンテナの通信範囲に搬送されてきた状態を示す図である。
【図９】第１〜３の実施例で使用する記録装置の操作部である。
【図１０】第１〜３の実施例で使用するホストコンピュータから送信される制御コマンドの構造図と送信例を示す図である。
【図１１】第２の実施例におけるＲＦ−ＩＤ書き込みエラー処理のフローチャートである。
【図１２】第３の実施例におけるＲＦ−ＩＤ書き込みエラー処理のフローチャートである。
【符号の説明】
【００４０】
０１００  記録装置
０１０１  給送部
０１０２  排紙トレー
０１０３  給紙トレー
０１０４  記録ヘッド
０１０５  印刷部
０１０６  ＲＦ−ＩＤ通信アンテナ
０１０７  ＲＦ−ＩＤ素子
０１０８  記録媒体
０１０９  ＴＯＦセンサ
０１１０  搬送ベルト
０１１１  搬送モータ
０１１２  給送センサ
０１１３  給送モータ
０１１４  給送ローラ
０１１５  紙面センサ
０１１６  トレーモータ
０１１６  トレーベルト
０３０１  ホストコンピュータ
０３０２  プリンタケーブル
０４０１  ＣＰＵ
０４０２  プログラムＲＯＭ
０４０３  ＣＧ−ＲＯＭ
０４０４  イメージＲＡＭ
０４０５  ワークＲＡＭ
０４０７  ホストインタフェース
０４０８  ヘッド駆動回路
０４０９  ＲＦ−ＩＤ通信アンテナインタフェース
０４１０  入出力ポート
０４１１  各種モータドライバ
０４１２  ＬＣＤドライバ
０４１３  ＬＣＤ
０４１４  エラークリアキー
０４１５  エラーＬＥＤ
０８０１  ＲＦ−ＩＤアンテナの通信範囲
０８０２  記録媒体
０８０３  ＲＦ−ＩＤ素子
０８０４  記録媒体
０８０５  ＲＦ−ＩＤ素子
０８０６  記録媒体
０８０７  ＲＦ−ＩＤ素子
１００１  用紙設定コマンド
１００２  フォーマットコマンド
１００３  キャラクタデータコマンドの属性部
１００４  イメージデータコマンドの属性部
１００５  ＲＦ−ＩＤデータコマンドの属性部
１００６  データコマンドのデータ部
１００７  記録開始コマンド
【図１】
2006139582.tif 000003
【図２】
2006139582.tif 000004
【図３】
2006139582.tif 000005
【図４】
2006139582.tif 000006
【図５】
2006139582.tif 000007
【図６】
2006139582.tif 000008
【図７】
2006139582.tif 000009
【図８】
2006139582.tif 000010
【図９】
2006139582.tif 000011
【図１０】
2006139582.tif 000012
【図１１】
2006139582.tif 000013
【図１２】
2006139582.tif 000014